(57)【要約】【課題】傾斜面の状態にほとんど左右されることなく、安価で容易かつ確実に傾斜面の緑化を実現することのできる傾斜面の緑化方法を提供する。【解決手段】緑化対象である傾斜面１に網体３を配置し、この網体３に連結される環状部材５を用いて、網体３に対して上端部を持ち上げた状態で棚部材４を連結し、この棚部材４に植生基材２を保持させる。【選択図】      図１
2004324146.tif 000002
【特許請求の範囲】
【請求項１】
緑化対象である傾斜面に網体を配置し、この網体に連結される環状部材を用いて、網体に対して上端部を持ち上げた状態で棚部材を連結し、この棚部材に植生基材を保持させることを特徴とする傾斜面の緑化方法。
【請求項２】
前記環状部材がほぼ三角形状をしている請求項１に記載の傾斜面の緑化方法。
【請求項３】
緑化対象である傾斜面に網体を配置し、この網体上に棚部材の下端部を連結するとともに、前記棚部材の上端部と網体との間に連結部材を設け、この連結部材によって棚部材の上端部を網体から離した状態で連結し、棚部材に植生基材を保持させることを特徴とする傾斜面の緑化方法。
【請求項４】
前記棚部材が金網である請求項１〜３のいずれかに記載の傾斜面の緑化方法。
【請求項５】
前記傾斜面において、前記棚部材により植生基材が保持されていない部分に木材チップを配置する請求項１〜４のいずれかに記載の傾斜面の緑化方法。
【発明の詳細な説明】
【０００１】
【発明の属する技術分野】
この発明は、法面など傾斜面の緑化方法に関する。
【０００２】
【従来の技術】
【特許文献１】特開２００２−３３２６４０号公報
近年、生物の多様性、遺伝子攪乱防止などへの配慮から、緑化施工地周辺の植物を使用することへの要望が高まっており、施工地周辺の種子を採取して用いたり、施工地周辺の表層土壌や施工地周辺の森林内からそこに生育する植物の種子を埋土種子として含む表土シードバンクを採取して、この表土シードバンクを緑化方法に使用する傾向が高まって、それが実施されつつある。
【０００３】
【発明が解決しようとする課題】
しかしながら、上記表土シードバンクを活用する緑化方法において、緑化対象面である法面などの傾斜面の全面を吹き付け等によって緑化しようとすると、その吹き付け等のために採取する表土の量が多くなりそれだけ周囲環境に与える影響が大きくなるとともにコスト高となる。また、目的とする木本類の侵入が遅れるといった問題がある。
【０００４】
そこで、前記特許文献１に記載されているように、アンカーピンを用いて型枠部材を法面に設置し、生育基盤を造成する基盤造成部と裸地とを区画する境界を明確にするとともに、周辺から飛来する種子を効率的に捕捉することを狙った緑化基礎工法がある。
【０００５】
しかし、特許文献１に記載の緑化基礎工法では、前記型枠部材を設置するためのアンカーピンの打ち込みを多数の箇所に行う必要があるため、法面に、傾斜角度が急な部分や固い岩盤部分などがある場合には、前記アンカーピンの打ち込み作業を多数の箇所に行うことが非常に困難となり、傾斜面の状態によっては施工が不可能となるおそれもある。
【０００６】
この発明は、上述の事柄に留意してなされたもので、その目的は、傾斜面の状態にほとんど左右されることなく、安価で容易かつ確実に傾斜面の緑化を実現することのできる傾斜面の緑化方法を提供することである。
【０００７】
【課題を解決するための手段】
上記目的を達成するため、この発明の傾斜面の緑化方法は、緑化対象である傾斜面に金網などの網体を配置し、この網体に連結される環状部材を用いて、網体に対して上端部を持ち上げた状態で棚部材を連結し、この棚部材に植生基材を保持させる（請求項１）。
【０００８】
上記緑化方法においては、緑化対象面（または施工対象面）である傾斜面に網体を敷設し、この網体上に配置された棚部材に例えば表土シードバンクを含んだ植生基材を保持させることによって植生帯を形成する。そして、前記傾斜面において前記植生帯以外の部分は人工的な裸地となり、周辺から植物種子が入り易く、植生の遷移が促進され、自然度の高い緑化を行うことができる。そして、表土シードバンクを含んだ植生基材を、傾斜面全体に吹き付けるのではなく、前記傾斜面に点在するように形成される棚部材にのみ保持させるだけでよいので、表土の採取量が少なくて済み、周囲環境に及ぼされる悪影響がほとんど無いとともにコスト安に施工することができる。また、前記傾斜面に植生基材が吹き付けられることによって形成される複数の植生帯によって前記裸地の保水性が向上し、余所から飛来してきた種子の発芽が促進される。
【０００９】
そして、前記棚部材の固定にはアンカーピンが不要であり、前記網体に連結される環状部材を用いて棚部材を固定できることから、傾斜面に、傾斜角度が急な部分や固い岩盤部分などがある場合でも、前記アンカーピンの打ち込み作業を最小限に抑えることができるため、傾斜面の状態にほとんど左右されることなく、容易かつ確実に棚部材を設置でき、ひいては傾斜面の緑化を容易かつ確実に実現することが可能となる。
【００１０】
また、前記環状部材がほぼ三角形状をしているとすることが好ましい（請求項２）。この場合には、その形状から環状部材にかかる力が理想的に分散されることとなり、ひいては環状部材によって棚部材をより強力に保持することが可能となる。
【００１１】
また、上記目的を達成するため、本発明の傾斜面の緑化方法は、緑化対象である傾斜面に網体を配置し、この網体上に棚部材の下端部を連結するとともに、前記棚部材の上端部と網体との間に連結部材を設け、この連結部材によって棚部材の上端部を網体から離した状態で連結し、棚部材に植生基材を保持させる（請求項３）。
【００１２】
このように構成した場合においても前記請求項１に記載の傾斜面の緑化方法と同様の作用効果が得られるとともに、さらに、構成がより簡素となって施工が容易であるため、施工コストがより安価となる。
【００１３】
そして、前記棚部材が金網であることが望ましい（請求項４）。この場合には、前記金網として市販のものを用いることができるので、施工コストを低く抑えることが可能となる。
【００１４】
また、前記傾斜面において、前記棚部材により植生基材が保持されていない部分に木材チップを配置することが望ましい（請求項５）。この場合には、前記木材チップをバーク堆肥や窒素肥料などと混合して傾斜面に配置することにより、傾斜面における植物の生育をさらに促進することが可能となるだけでなく、日本国内において処分に困っている前記木材チップを有効に活用することができ、現場において求められているゼロエミッションの実現にも寄与するものとなる。
【００１５】
【発明の実施の形態】
以下、この発明の詳細を、図を参照しながら説明する。
図１および図２は、本発明の一実施例に係る傾斜面の緑化方法（以下、緑化方法という）の構成を概略的に示す斜視図および縦断面図、図３は、緑化用基体Ｄの要部の構成を概略的に示す斜視図である。
前記緑化方法は、緑化対象である傾斜面（例えば、法面）１に植生基材２を保持する緑化用基体Ｄを敷設することにより緑化を図るものである。
【００１６】
前記緑化用基体Ｄは、前記傾斜面１に敷設される網体３と、この網体３上に起立した状態で配置される棚部材４と、この棚部材４を網体３に連結するための環状部材５とを備えている。
【００１７】
前記植生基材２は、表土シードバンクを含んだものよりなり、具体的には、前記傾斜面１の近傍の地山や森林等の植物種子２ａを含んでいる表土にピートモスやバーク堆肥や保水材など生育補助材２ｂを適宜混合してなるものである。
【００１８】
前記網体３は、例えば、５ｃｍ程度の目合いを有する金網からなり、適宜の間隔で傾斜面１に打ち込まれるアンカーピンＡ，Ａ…によって傾斜面１に敷設される。
【００１９】
前記棚部材４は、例えば、前記網体３の目合いよりも小さい目合い（２ｃｍ以内、例えば５ｍｍ程度の目合い）を有し、高さ１０〜３０ｃｍ，長さ（幅）５０〜２００ｃｍのほぼ矩形状の金網よりなる。そして、棚部材４は網体３に対して上端部が持ち上げられた起立状態で連結・保持されるのであり、そのための部材として環状部材５が用いられるのである。なお、前記棚部材４の起立状態とは、網体３に対してその上端部が持ち上がった状態を指し、網体３に対する棚部材４の開き角度α（図２参照）は特に限定されない。なお、本実施例では、棚部材４がほぼ鉛直方向に起立するように前記環状部材５で保持するのである。
【００２０】
前記環状部材５は、ほぼ三角形状（トライアングル状）をしており、３つの線状部材６，６，６からなる。各線状部材６は、ほぼ直線状の中央部分７と、この中央部分７の両端に設けられ、湾曲した係止部分８，８とを有している。
【００２１】
そして、前記環状部材５を網体３に連結するには、１つの線状部材６（以下、線状部材６Ａという）を、網体３の下面側に当接する状態で、前記棚部材４と垂直な方向（傾斜面１の等高線とほぼ垂直な方向）に配置し、残る２つの線状部材６（以下、線状部材６Ｂ，６Ｃという）の互いの一端側の係止部分８どうしを係止させあうとともに、残る２つのうちの一方の線状部材６Ｂの他端側の係止部分８を網体３の下面側に配置された前記線状部材６Ａの谷側の係止部分８に連結するとともに、残る２つのうちの他方の線状部材６Ｃの他端側の係止部分８を網体３の下面側に配置された前記線状部材６Ａの山側の係止部分８に連結すればよい。なお、このとき、前記線状部材６Ａの両端の係止部分８，８と、前記線状部材６Ｂ，６Ｃの他端側の係止部分８，８とをそれぞれ網体３に係止させてもよい。また、前記線状部材６Ａを単に網体３の下面側に当接する状態で配置するのではなく、網体３の網の目を縫うように線状部材６Ａを通してもよい。
【００２２】
前記環状部材５を用いて棚部材４を網体３に連結するには、上記のように網体３に連結される環状部材５の線状部材６Ｂに棚部材４を当接させた状態とするだけでよい。これにより、図２に示すように、前記棚部材４は起立状態で網体３上に保持されることとなる。
【００２３】
ここで、１つの棚部材４の連結に用いる環状部材５の数は適宜に設定すればよく、例えば、各棚部材４の両端部および中央部を前記環状部材５によって網体３に連結するようにしてもよいし、前記棚部材４が長い場合には、棚部材４に対して適宜の間隔（例えば５０ｃｍ程度）おきに前記環状部材５を連結するようにしてもよい。なお、このとき、前記線状部材６Ｂの両端の係止部分８，８を棚部材４に係止させてもよく、また、前記線状部材６Ａの山側の係止部分８および線状部材６Ｃの他端側の係止部分８をそれぞれ前記棚部材４に係止させてもよい。また、棚部材４を線状部材６Ｂに単に当接させるのではなく、棚部材４の網の目を縫うように線状部材６Ｂを通してもよい。
【００２４】
前記緑化用基体Ｄを用いる本実施例の緑化方法は、傾斜面１上に網体３を敷設するとともに、前記環状部材５を用いて前記網体３上に棚部材４を起立させた状態で配置し、この棚部材４に表土シードバンク（図示せず）を含んだ前記植生基材２を保持させるものである。
【００２５】
詳述すると、前記緑化方法では、まず、傾斜面１を適宜整備して、凹凸した部分をできるだけ少なくなるように整地する（必ずしも平坦な面にする必要はない）。
【００２６】
続いて、前記整地後の傾斜面１に、網体３を敷設し、この網体３上に、複数の棚部材４，４…を法面１の等高線にほぼ平行になるように並べて列状に配置するとともに、列状に配置される棚部材４，４…を等高線と垂直な方向に適宜の間隔をあけて複数段（列）設ける。そして、このように配置した各棚部材４は、環状部材５を用いて上述したように網体３に連結するのである。
【００２７】
その後、適宜の吹付け装置（図示していない）を用いて、植生基材２を、各棚部材４の上方側（山側）の面付近に向けて吹き付けるのである。この植生基材２の吹き付けによって、傾斜面１には、図２に示すような断面形状が直角三角形状の複数の植生帯９，９…が適宜の間隔をおいて傾斜面１の等高線に平行となるように形成される。
【００２８】
上記傾斜面１に形成された植生帯９は、傾斜面１から高々１０〜３０ｃｍ程度突出している低い囲いであり、この植生帯９の間の傾斜面部分１ａは、網体３が敷設された人工的な裸地部分となっているので、裸地部分１ａに周辺から植物種子が入り易い。そして、この裸地部分１ａの周囲の植生帯９は植生基材２を含むものであり、この植生基材２から植物が生育し、裸地部分１ａを遮光し、防風する。したがって、裸地部分１ａの乾燥が巧みに防止され、余所から飛来してきた種子の発芽が促進される。発芽した植物種子は保水性に優れた裸地部分１ａにおいてより確実により速く生育する。したがって、植生の遷移が促進され、自然度の高い緑化が行われる。
【００２９】
なお、前記傾斜面１において、前記棚部材４により植生基材２が保持されていない前記裸地部分１ａに木材チップ１０を配置してもよい。この木材チップ１０は、例えば、建設現場等から発生した間伐材のチップや木の皮の粉砕物などの現場発生材であり、前記木材チップ１０をバーク堆肥や窒素肥料などと混合して裸地部分１ａに吹き付けることにより、前記裸地部分１ａにおける植物の生育をさらに促進することが可能となるだけでなく、日本国内において処分に困っている木材チップ１０を有効に活用することができ、現場において求められているゼロエミッションの実現にも寄与するものとなる。
【００３０】
上記の構成からなる緑化方法では、緑化対象面（または施工対象面）である傾斜面１には、網体３が敷設され、この網体３上に棚部材４が適宜の間隔をおいて、適宜高さかつ等高線に平行になるように形成されるので、この棚部材４に表土シードバンクを含んだ植生基材２を保持させることによって、前記傾斜面１に等高線に平行になるように複数の植生帯が形成される。そして、これらの植生帯以外の傾斜面１は人工的な裸地となっており、周辺から植物種子が入り易く、植生の遷移が促進され、自然度の高い緑化を行うことができる。そして、表土シードバンクを含んだ植生基材２を、傾斜面１全体に吹き付けるのではなく、前記傾斜面１に点在するように形成される棚部材４にのみ保持させるだけでよいので、表土の採取量が少なくて済み、周囲環境に及ぼされる悪影響がほとんど無いとともにコスト安に施工することができる。加えて、用いる緑化用基体Ｄの構成が非常にシンプルであり、低コストで製造できることからも、前記緑化方法は安価に実施することが可能となるのである。また、前記傾斜面１に植生基材２が吹き付けられることによって形成される複数の植生帯によって前記裸地の保水性が向上し、余所から飛来してきた種子の発芽が促進される。
【００３１】
また、上記緑化方法においては、傾斜面１に網体３を敷設するようにしているので、傾斜面１の崩落が巧みに防止される。また、この網体３の素材を腐食性素材で形成した場合、網体３が経時変化により傾斜面１に同化し、環境をより保護することができる。
【００３２】
さらに、上記緑化方法においては、網体３の固定にはアンカーピンＡを用いているが、前記棚部材４の固定にはアンカーピンが不要であり、前記環状部材５を、その下部が前記網体３を巻き込むように設置し、この環状部材５に棚部材４を取り付けるだけで棚部材４を固定できることから、傾斜面１に、傾斜角度が急な部分や固い岩盤部分などがある場合でも、前記アンカーピンＡの打ち込み作業を最小限に抑えることができるため、傾斜面１の状態にほとんど左右されることなく、容易かつ確実に緑化用基体Ｄを設置でき、傾斜面の緑化を実現することが可能となる。
【００３３】
なお、例えばヤシマットなどの植物性シートからなる保水用シート（図示せず）を、前記棚部材４の山側の面に保持させたり、棚部材４の谷側の面に固定することにより、植生基材２の乾燥の十分な防止を図るように構成するのが好ましい。
【００３４】
また、網体３に対する棚部材４の連結を、環状部材５のみによって行ってもよいが、環状部材５に加えて、適宜の部材を結束するなどの手段を用いて前記連結を行うようにしてもよい。
【００３５】
さらに、前記環状部材５は、３つの線状部材６，６，６からなるものに限られず、例えば、図４に示すように、前記線状部材６Ａ，６Ｂを連設して一体的に形成してもよく、このように、３つの線状部材６Ａ，６Ｂ，６Ｃのうちのいずれか２つの線状部材６，６を連設して一体的に形成してもよいのである。また、前記線状部材６Ａを設けずに、線状部材６Ｂ，６Ｃのみを用いるようにしてもよい（断面図でみるとほぼ三角形状となる）。
【００３６】
図５（Ａ）および（Ｂ）は、前記緑化用基体Ｄの変形例である緑化用基体Ｄ２  の構成を概略的に示す縦断面図および斜視図である。
前記緑化用基体Ｄ２  は、前記緑化用基体Ｄに比して、環状部材５を設ける代わりに、棚部材４の下端部に連結部４ａを設けるとともに、棚部材４の上端部と網体３との間に連結部材１１を設け、この連結部材１１によって棚部材４の上端部を網体３から離した状態で連結するように構成してある点で異なる。
【００３７】
前記連結部４ａは、例えば，ほぼＬ字形状をしており、鉄などの金属により形成されている。
【００３８】
前記連結部材１１は、前記線状部材６と同様に構成されており、ほぼ直線状の中央部分１１ａと、この中央部分１１ａの両端に設けられ、湾曲した係止部分１１ｂ，１１ｂとを有している。なお、連結部材１１の前記棚部材４の上端部に係止される側の係止部分１１ｂは、前記線状部材６の係止部分８と同様に構成しておいてもよいが、図５（Ｂ）に示すように、環状に変形させて棚部材４の上端部から取れないように構成してもよい。
【００３９】
このような構成を有する緑化用基体Ｄ２  を傾斜面１に敷設する緑化方法においても、前記緑化用基体Ｄを傾斜面１に敷設する上記の緑化方法と同様の作用効果を奏することはいうまでもない。また、前記緑化用基体Ｄ２  は、前記緑化用基体Ｄに比べて構成が簡単であって施工が容易であり、それだけ、施工コストが低減される。
【００４０】
【発明の効果】
以上説明したように、上記の構成により、傾斜面の状態にほとんど左右されることなく、安価で容易かつ確実に傾斜面の緑化を実現することのできる傾斜面の緑化方法提供することができる。
【００４１】
すなわち、上記緑化方法においては、緑化対象面（または施工対象面）である傾斜面に網体を敷設し、この網体上に配置された棚部材に例えば表土シードバンクを含んだ植生基材を保持させることによって植生帯を形成する。そして、前記傾斜面において前記植生帯以外の部分は人工的な裸地となり、周辺から植物種子が入り易く、植生の遷移が促進され、自然度の高い緑化を行うことができる。そして、表土シードバンクを含んだ植生基材を、傾斜面全体に吹き付けるのではなく、前記傾斜面に点在するように形成される棚部材にのみ保持させるだけでよいので、表土の採取量が少なくて済み、周囲環境に及ぼされる悪影響がほとんど無いとともにコスト安に施工することができる。また、前記傾斜面に植生基材が吹き付けられることによって形成される複数の植生帯によって前記裸地の保水性が向上し、余所から飛来してきた種子の発芽が促進される。
【００４２】
そして、前記棚部材の固定にはアンカーピンが不要であり、前記網体に連結される環状部材を用いて棚部材を固定できることから、傾斜面に、傾斜角度が急な部分や固い岩盤部分などがある場合でも、前記アンカーピンの打ち込み作業を最小限に抑えることができるため、傾斜面の状態にほとんど左右されることなく、容易かつ確実に棚部材を設置でき、ひいては傾斜面の緑化を容易かつ確実に実現することが可能となる。
【図面の簡単な説明】
【図１】本発明の一実施例に係る傾斜面の緑化方法の構成を概略的に示す斜視図である。
【図２】上記実施例の構成を概略的に示す縦断面図である。
【図３】上記実施例における緑化用基体の要部の構成を概略的に示す斜視図である。
【図４】上記実施例における環状部材の変形例の構成を概略的に示す縦断面図である。
【図５】（Ａ）および（Ｂ）は、前記緑化用基体の変形例の構成を概略的に示す縦断面図および斜視図である。
【符号の説明】
１…傾斜面、２…植生基材、３…網体、４…棚部材、５…環状部材。
【図１】
2004324146.tif 000003
【図２】
2004324146.tif 000004
【図３】
2004324146.tif 000005
【図４】
2004324146.tif 000006
【図５】
2004324146.tif 000007